【手続補正書】
【提出日】平成25年4月22日(2013.4.22)
【手続補正１】
【補正対象書類名】特許請求の範囲
【補正対象項目名】全文
【補正方法】変更
【補正の内容】
【特許請求の範囲】
【請求項１】
被験者における心血管症状を監視するためのシステムであって、
該被験者の心臓活動と比例する、または該被験者の心臓活動の関数である中枢信号を測定するための手段と、
該中枢信号に関連する信号と比例する、または該中枢信号に関連する信号の関数である末梢信号を測定するための手段と、
該中枢信号および該末梢信号について、同一の心臓事象を表す信号特徴の間の時間差を算出するための手段と、
該時間差が閾値よりも大きい場合に該心血管症状を示すための手段と
を備えるシステム。
【請求項２】
被験者における心血管症状を監視するためのシステムであって、
該被験者の心臓活動と比例する、または該被験者の心臓活動の関数である中枢信号を測定するための手段と、
該中枢信号に関連する信号と比例する、または該中枢信号に関連する信号の関数である末梢信号を測定するための手段と、
該中枢信号および該末梢信号について、同一の心臓事象を表す信号特徴の間の時間差を算出するための手段と、
特定された期間にわたって該時間差の有意な統計的変化がある場合に該心血管症状を示すための手段と
を備える、システム。
【請求項３】
前記心血管症状は、血管拡張である、請求項１または２に記載のシステム。
【請求項４】
前記心血管症状は、血管収縮である、請求項１または２に記載のシステム。
【請求項５】
前記心血管症状は、高拍出性循環の発現を示す、請求項１または２に記載のシステム。
【請求項６】
前記心血管症状は、中枢から末梢の圧力または流量の分断である、請求項１または２に記載のシステム。
【請求項７】
前記閾値は、１５０ミリ秒以上である、請求項３、５、または６のうちのいずれかに記載のシステム。
【請求項８】
前記閾値は、１００ミリ秒以下である、請求項４に記載のシステム。
【請求項９】
前記統計的に有意な変化は、５０ミリ秒以上である、請求項２に記載のシステム。
【請求項１０】
前記統計的に有意な変化は、０．４標準偏差以上である、請求項２に記載のシステム。
【請求項１１】
前記閾値は、５分以上である、請求項１に記載のシステム。
【請求項１２】
前記特定された期間は、５分以上である、請求項２に記載のシステム。
【請求項１３】
前記心血管症状を示すための手段は、特定された期間にわたって前記時間差が前記閾値よりも大きい場合に前記心血管症状を示すように構成されている、請求項１に記載のシステム。
【請求項１４】
前記特定された期間は、５分以上である、請求項１３に記載のシステム。
【請求項１５】
前記被験者の心臓活動と比例する、または該被験者の心臓活動の関数である、前記中枢信号は、心電図、大動脈圧、大動脈流、超音波、ドップラー、経胸腔バイオインピーダンス、または心音のうちの１つ以上である、請求項１または２に記載のシステム。
【請求項１６】
前記第１の信号に対する末梢等価物と比例する、または前記第１の信号に対する末梢等価物の関数である、前記末梢信号は、末梢圧力、末梢流量、超音波、ドップラー、圧力測定、またはパルス酸素濃度測定である、請求項１または２に記載のシステム。
【請求項１７】
前記中枢信号は、大動脈圧であり、前記末梢信号は、末梢圧力である、請求項１または２に記載のシステム。
【請求項１８】
前記中枢信号は、大動脈流であり、記末梢信号は、末梢流量である、請求項１または２に記載のシステム。
【請求項１９】
前記中枢信号は、心電図信号であり、前記末梢信号は、末梢動脈圧である、請求項１または２に記載のシステム。
【請求項２０】
前記中枢信号と前記末梢信号との間の前記時間差を継続的に監視するための手段をさらに備える、請求項１に記載のシステム。
【請求項２１】
前記中枢信号と前記末梢信号との間の前記時間差を表示するためのグラフィカルユーザインターフェースをさらに備える、請求項１に記載のシステム。
【請求項２２】
前記グラフィカルユーザインターフェースは、前記中枢信号と前記末梢信号との間の前記時間差を棒グラフまたは動向グラフとして表示するように構成されている、請求項２１に記載のシステム。
【請求項２３】
前記中枢信号と前記末梢信号との間の前記時間差、または経時的な統計的変化を継続的に監視するための手段をさらに備える、請求項２に記載のシステム。
【請求項２４】
前記中枢信号と前記末梢信号との間の前記時間差、または経時的な統計的変化を表示するためのグラフィカルユーザインターフェースをさらに備える、請求項２に記載のシステム。
【請求項２５】
前記グラフィカルユーザインターフェースは、前記中枢信号と前記末梢信号との間の前記時間差、または経時的な統計的変化を棒グラフまたは動向グラフとして表示するように構成されている、請求項２４に記載のシステム。
【請求項２６】
前記心血管症状が示される場合に、ユーザに警告するための手段をさらに含む、請求項１に記載のシステム。
【請求項２７】
前記心血管症状が示される場合に、ユーザに警告するための手段をさらに含む、請求項２に記載のシステム。
【請求項２８】
前記警告するための手段は、グラフィカルユーザインターフェース上で通知を公表するように構成されている、請求項２６または２７に記載のシステム。
【請求項２９】
前記警告するための手段は、音を発するように構成されている、請求項２６または２７に記載のシステム。
【手続補正２】
【補正対象書類名】明細書
【補正対象項目名】０００３
【補正方法】変更
【補正の内容】
【０００３】
被験者における心血管症状を監視する方法が記載される。本方法は、被験者の心臓活動と比例する、または被験者の心臓活動の関数である中枢信号と、中枢信号に関連する信号と比例する、または中枢信号に関連する信号の関数である末梢信号とを測定することを伴う。次いで、中枢信号および末梢信号について、同一の心臓事象を表す信号特徴の間の時間差が算出され、時間差が閾値よりも大きい場合、心臓症状が示される。
本発明は、例えば、以下を提供する：
（項目１）
被験者における心血管症状を監視する方法であって、
該被験者の心臓活動と比例する、または該被験者の心臓活動の関数である中枢信号を測定することと、
該中枢信号に関連する信号と比例する、または該中枢信号に関連する信号の関数である末梢信号を測定することと、
該中枢信号および該末梢信号について、同一の心臓事象を表す信号特徴の間の時間差を算出することと
を含み、
該心血管症状は、該時間差が閾値よりも大きい場合に示される、
方法。
（項目２）
被験者における心血管症状を監視する方法であって、
該被験者の心臓活動と比例する、または該被験者の心臓活動の関数である中枢信号を測定することと、
該中枢信号に関連する信号と比例する、または該中枢信号に関連する信号の関数である末梢信号を測定することと、
該中枢信号および該末梢信号について、同一の心臓事象を表す信号特徴の間の時間差を算出することと
を含み、
該心血管症状は、特定された期間にわたって該時間差の有意な統計的変化がある場合に示される、
方法。
（項目３）
前記心血管症状は、血管拡張である、項目１または２に記載の方法。
（項目４）
前記心血管症状は、血管収縮である、項目１または２に記載の方法。
（項目５）
前記心血管症状は、高拍出性循環の発現を示す、項目１または２に記載の方法。
（項目６）
前記心血管症状は、中枢から末梢の圧力または流量の分断である、項目１または２に記載の方法。
（項目７）
前記閾値は、１５０ミリ秒以上である、項目３、５、または６のうちのいずれかに記載の方法。
（項目８）
前記閾値は、１００ミリ秒以下である、項目４に記載の方法。
（項目９）
前記統計的に有意な変化は、５０ミリ秒以上である、項目２に記載の方法。
（項目１０）
前記統計的に有意な変化は、０．４標準偏差以上である、項目２に記載の方法。
（項目１１）
前記閾値は、５分以上である、項目１に記載の方法。
（項目１２）
前記特定された期間は、５分以上である、項目２に記載の方法。
（項目１３）
前記心血管症状は、特定された期間にわたって前記時間差が前記閾値よりも大きい場合に示される、項目１に記載の方法。
（項目１４）
前記特定された期間は、５分以上である、項目１３に記載の方法。
（項目１５）
前記被験者の心臓活動と比例する、または該被験者の心臓活動の関数である、前記中枢信号は、心電図、大動脈圧、大動脈流、超音波、ドップラー、経胸腔バイオインピーダンス、または心音のうちの１つ以上である、項目１または２に記載の方法。
（項目１６）
前記第１の信号に対する末梢等価物と比例する、または前記第１の信号に対する末梢等価物の関数である、前記末梢信号は、末梢圧力、末梢流量、超音波、ドップラー、圧力測定、またはパルス酸素濃度測定である、項目１または２に記載の方法。
（項目１７）
前記中枢信号は、大動脈圧であり、前記末梢信号は、末梢圧力である、項目１または２に記載の方法。
（項目１８）
前記中枢信号は、大動脈流であり、記末梢信号は、末梢流量である、項目１または２に記載の方法。
（項目１９）
前記中枢信号は、心電図信号であり、前記末梢信号は、末梢動脈圧である、項目１または２に記載の方法。
（項目２０）
前記中枢信号と前記末梢信号との間の前記時間差は、継続的に監視される、項目１に記載の方法。
（項目２１）
前記中枢信号と前記末梢信号との間の前記時間差は、グラフィカルユーザインターフェース上で表示される、項目１に記載の方法。
（項目２２）
前記中枢信号と前記末梢信号との間の前記時間差は、棒グラフまたは動向グラフとして表示される、項目２１に記載の方法。
（項目２３）
前記中枢信号と前記末梢信号との間の前記時間差、または経時的な統計的変化は、継続的に監視される、項目２に記載の方法。
（項目２４）
前記中枢信号と前記末梢信号との間の前記時間差、または経時的な統計的変化は、グラフィカルユーザインターフェース上で表示される、項目２に記載の方法。
（項目２５）
前記中枢信号と前記末梢信号との間の前記時間差、または経時的な統計的変化は、棒グラフまたは動向グラフとして表示される、項目２４に記載の方法。
（項目２６）
前記心血管症状が示される場合に、ユーザに警告することをさらに含む、項目１に記載の方法。
（項目２７）
前記心血管症状が示される場合に、ユーザに警告することをさらに含む、項目２に記載の方法。
（項目２８）
前記ユーザは、グラフィカルユーザインターフェース上で通知を公表することによって警告される、項目２６または２７に記載の方法。
（項目２９）
前記ユーザは、音を発することによって警告される、項目２６または２７に記載の方法。